(57)【要約】この発明に係る無線通信機は、第１セルと第２セルに要求メッセージを送信する送信部、前記第１セルから送信される第１共通制御チャネルを復調する第１コンバイナ部、前記第２セルから送信される第２共通制御チャネルを復調する第２コンバイナ部、前記第１コンバイナ部及び前記第２コンバイナ部を起動し、前記第１共通制御チャネル及び前記第２共通制御チャネルを同時に復調可能な状態に制御するベースバンド制御部、前記第１共通制御チャネル又は前記第２共通制御チャネルに含まれる、前記要求メッセージに対する応答メッセージを受信する無線通信制御部を備える。これにより、セル切り替えが頻繁に発生するハンドオーバーエリアにおいても、共通制御チャネルに含まれる応答メッセージを確実に受信することができ、通信の安定性向上を図ることができる。
2004004401.tif 000002
【特許請求の範囲】
【請求項１】
第１セルと第２セルに要求メッセージを送信する送信部、
前記第１セルから送信される第１共通制御チャネルを復調する第１コンバイナ部、
前記第２セルから送信される第２共通制御チャネルを復調する第２コンバイナ部、
前記第１コンバイナ部及び前記第２コンバイナ部を起動し、前記第１共通制御チャネル及び前記第２共通制御チャネルを同時に復調可能な状態に制御するベースバンド制御部、
前記第１共通制御チャネル又は前記第２共通制御チャネルに含まれる、前記要求メッセージに対する応答メッセージを受信する無線通信制御部を備えたことを特徴とする無線通信機。
【請求項２】
前記ベースバンド制御部は、前記無線通信制御部が前記第１セルから応答メッセージを受信する前にセル切り替え指示をした場合、前記第１コンバイナ部と前記第２コンバイナ部を共に起動させることを特徴とする請求の範囲第１項に記載の無線通信機。
【請求項３】
前記要求メッセージは個別チャネルの再接続を要求するものであり、前記応答メッセージは再接続する個別チャネルを指示するものであることを特徴とする請求の範囲第１項に記載の無線通信機。
【請求項４】
前記要求メッセージは個別チャネルから共通制御チャネルへの切り替えを要求するものであり、前記応答メッセージは個別チャネルから共通制御チャネルへの切り替えを許可するものであることを特徴とする請求の範囲第１項に記載の無線通信機。
【請求項５】
前記要求メッセージは共通制御チャネルで通信中にセル切り替えを行う場合にセル再選択を要求するものであり、前記応答メッセージはセル再選択を許可するものであることを特徴とする請求の範囲第１項に記載の無線通信機。
【請求項６】
第１セルと第２セルに要求メッセージを送信する送信部、
前記第１セルから送信される第１共通制御チャネル又は報知情報を含む物理チャネルを復調可能に時分割で設定される第１コンバイナ部、
前記第２セルから送信される第２共通制御チャネルを復調可能に設定される第２コンバイナ部、
前記第１コンバイナ部及び前記第２コンバイナ部を設定し、前記第１共通制御チャネル及び前記第２共通制御チャネルを同時に復調可能な状態に制御するベースバンド制御部、
前記第１共通制御チャネル又は前記第２共通制御チャネルに含まれる前記要求メッセージに対する応答メッセージを受信する無線通信制御部を備えたことを特徴とする無線通信機。
【請求項７】
前記ベースバンド制御部は、前記無線通信制御部が前記第１セルから応答メッセージを受信する前にセル切り替え指示をした場合、前記第１共通制御チャネル及び前記第２共通制御チャネルを同時に復調可能な状態に制御することを特徴とする請求の範囲第６項に記載の無線通信機。
【請求項８】
前記ベースバンド制御部は、前記報知情報を含む物理チャネルと前記第１共通制御チャネルを同時に受信する場合、前記第１コンバイナ部を前記報知情報を含む物理チャネルを復調可能に設定することを特徴とする請求の範囲第６項に記載の無線通信機。
【請求項９】
前記要求メッセージは個別チャネルの再接続を要求するものであり、前記応答メッセージは再接続する個別チャネルを指示するものであることを特徴とする請求の範囲第６項に記載の無線通信機。
【請求項１０】
前記要求メッセージは個別チャネルから共通制御チャネルへの切り替えを要求するものであり、前記応答メッセージは個別チャネルから共通制御チャネルへの切り替えを許可するものであることを特徴とする請求の範囲第６項に記載の無線通信機。
【請求項１１】
前記要求メッセージは共通制御チャネルで通信中にセル切り替えを行う場合にセル再選択を要求するものであり、前記応答メッセージはセル再選択を許可するものであることを特徴とする請求の範囲第６項に記載の無線通信機。
【請求項１２】
第１セルから送信される第１共通制御チャネルを復調可能に第１コンバイナ部を設定する第１ステップ、
前記第１セルに要求メッセージを送信する第２ステップ、
通信するセルを前記第１セルから第２セルへ切り替える第３ステップ、
前記第２セルから送信される第２共通制御チャネルを復調可能に第２コンバイナ部を設定する第４ステップ、
前記第２セルに要求メッセージを送信する第５ステップ、
前記第２ステップ後、前記要求メッセージに対する応答メッセージを前記第１セルから受信する前に前記第３ステップを実行した場合に、前記第１コンバイナ部と前記第２コンバイナ部を共に動作させ第１又は第２共通制御チャネルに含まれる応答メッセージを受信する第６ステップを含む共通制御チャネルの受信方法。
【発明の詳細な説明】
【技術分野】  この発明は、ＣＤＭＡ通信方式における移動局に関し、特にハンドオーバエリアでの共通制御チャネルの受信方法に関する。
【背景技術】  従来の移動局（無線通信機）では、３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ２５．３３１  １０．３．３．２７  Ｐｈｙｓｉｃａｌ  ｃｈａｎｎｅｌ  ｃａｐａｂｉｌｉｔｙに記載されたＭａｘ  ｎｏ  ｏｆ  Ｓ−ＣＣＰＣＨ  ＲＬ（＝１）に示されているとおり、基地局が送信する共通制御チャネルである物理チャネルＳＣＣＰＣＨを単一の無線リンク（Ｒａｄｉｏ  Ｌｉｎｋ，ＲＬ）で受信する。このような移動局の受信部のブロック図を図９に示す。
図において、１０１は基地局からの高周波信号を受信しデジタル信号へ変換する無線部であり、１０２は無線部１０１からのデジタル信号を復調するベースバンド復調部である。ベースバンド復調部１０２は、無線部１０１からのデジタル信号を基地局からの受信パス毎に逆拡散を行うフィンガー部１０３、１０４、及び受信パス毎に逆拡散された信号をレイク（ＲＡＫＥ）合成するコンバイナ部１０５、１０６を含み構成される。フィンガー部１０３、１０４は、それぞれ受信パス毎に設けられた複数のフィンガー１０３１、１０３２、・・・、１０３ｍ（ｍは整数）と、１０４１、１０４２、・・・、１０４ｎ（ｎは整数）から構成される。フィンガー部１０３とコンバイナ部１０５は、報知情報を含む物理チャネル（ＰＣＣＰＣＨ）の復調に用い、フィンガー部１０４とコンバイナ部１０６は、制御情報又はデータを含む共通制御チャネル（ＳＣＣＰＣＨ）又は個別チャネル（ＤＰＣＨ）の復調に用いられる。コンバイナ部１０５、１０６には、復調するチャネルのフレーム構成に従ったパラメータが設定される。個別チャネルは、移動局が通信可能な複数の基地局から同じ信号が送信されるので、一つのコンバイナ部１０６で複数の基地局からの個別チャネルを復調できる。一方、共通制御チャネルについては、各基地局が固有のデータを送信しておりそれぞれの信号が異なるため、移動局は単一セルからの共通制御チャネルしか受信できない。１０７は、ベースバンド復調部１０２に接続された通信路符号化部であり、コンバイナ部１０５及び１０６で復調された信号の物理フォーマットを変換する物理フォーマット変換部１０８ａ、１０８ｂを含む。１０９は、通信路符号化部から信号を入力し、報知情報、制御情報、データ等を受信するとともに、ベースバンド復調部１０２を制御する無線通信制御部である。
次に、このような従来の移動局が、ハンドオーバーエリアにおいて共通制御チャネルによる通信を行う場合の制御手順を図１０を用い説明する。図１０は、従来の移動局（ＵＥ）を含む通信ネットワークの構成図であり、１１１は移動局、１１２及び１１３はこの移動局１１１と通信を行う基地局（ＮｏｄｅＢ）、１１４は基地局１１２及び１１３を制御する無線制御装置（ＲＮＣ）、１１５は通信システム全体の呼制御、サービス制御等を統率するコアネットワーク（ＣＮ）である。基地局１１２はセル１Ａを、基地局１１３はセル２Ｂを管理している。また、１１６、１１７及び１１８は、移動局１１１と基地局１１２及び１１３との間で通信される共通制御チャネルの信号の流れを示しており、１１６は移動局１１１から基地局１１２へ、１１７は移動局１１１から基地局１１３へ、１１８は基地局１１２から移動局１１１への信号である。
まず、移動局１１１が、通信中のセル１Ａ（すなわち基地局１１２）に対し、通話品質劣化等の要因により、再接続要求メッセージを信号１１６で送信する。このとき、ベースバンド復調部１０２では、コンバイナ部１０６にセル１Ａからの共通制御チャネル用のパラメータが設定され、セル１Ａからの共通制御チャネルを復調できる状態で起動される。前記セル１Ａに対する再接続要求メッセージに対する応答メッセージがセル１Ａから送信される前に、受信レベル変動や物理的なセル間の移動により移動局１１１がセル１Ａからセル２Ｂにセル切り替えを行うと、移動局１１１はセル１Ａに送信したものと同様の再接続要求メッセージをセル２Ｂ（すなわち基地局１１３）に対し信号１１７で送信する。このとき、ベースバンド復調部１０２では、コンバイナ部１０６が一旦終了される。そして、セル２Ｂからの共通制御チャネル用のパラメータが設定され、セル２Ｂからの共通制御チャネルを復調できる状態で再起動される。
再接続要求メッセージなど要求メッセージに対するネットワーク側の応答は、その処理負荷等により大幅に遅延して送信される場合がある。従来の移動局は上記のように制御されるため、セル１Ａからセル２Ｂへのセル切り替え後、ようやくセル１Ａからの応答が信号１１８で送信されても、前述のとおり単一セル（この場合はセル２Ｂ）からの共通制御チャネルしか受信できないため、この応答メッセージを受信できない。ハンドオーバエリアではよくあることであるが、セル２Ｂから応答メッセージが送信される前に移動局がさらにセル２Ｂから別のセルへセル切り替えを行うと、同様に制御されるため、遅延して送信されたセル２Ｂからの応答メッセージも受信することができない。このようなことが繰り返されるうちに、要求メッセージに対する応答が得られないまま所定時間の経過によるタイムアウトが発生し、通話断等の通信不具合が発生する。
このように、従来の移動局においては、ネットワーク側の処理遅延等により要求メッセージに対する共通制御チャネルでの応答が遅れると、通話断などの通信不具合が発生しやすく、通信が安定しないという問題があった。
【発明の開示】
そこで、この発明の目的は、ネットワーク側の処理遅延によらず、共通制御チャネルでの応答メッセージを受信することができる無線通信機及び共通制御チャネルの受信方法を提供することである。
この発明の無線通信機は、第１セルと第２セルに要求メッセージを送信する送信部、前記第１セルから送信される第１共通制御チャネルを復調する第１コンバイナ部、前記第２セルから送信される第２共通制御チャネルを復調する第２コンバイナ部、前記第１コンバイナ部及び前記第２コンバイナ部を起動し、前記第１共通制御チャネル及び前記第２共通制御チャネルを同時に復調可能な状態に制御するベースバンド制御部、前記第１共通制御チャネル又は前記第２共通制御チャネルに含まれる、前記要求メッセージに対する応答メッセージを受信する無線通信制御部を備えるものである。また、前記ベースバンド制御部は、前記無線通信制御部が前記第１セルから応答メッセージを受信する前にセル切り替え指示をした場合、前記第１コンバイナ部と前記第２コンバイナ部を共に起動させるものである。
以上の構成により、セル切り替えが頻繁に発生するハンドオーバーエリアにおいても、共通制御チャネルに含まれる応答メッセージを確実に受信することができ、通信の安定性向上を図ることができる。
また、前記要求メッセージは個別チャネルの再接続を要求するものであり、前記応答メッセージは再接続する個別チャネルを指示するものである。これにより、個別チャネル再接続の成功率が向上し、通信の安定化が図れる。
また、前記要求メッセージは個別チャネルから共通制御チャネルへの切り替えを要求するものであり、前記応答メッセージは個別チャネルから共通制御チャネルへの切り替えを許可するものである。これにより、個別チャネルから共通制御チャネルへの切り替え成功率が向上し、通信の安定化が図れる。
また、前記要求メッセージは共通制御チャネルで通信中にセル切り替えを行う場合にセル再選択を要求するものであり、前記応答メッセージはセル再選択を許可するものである。これにより、セル再選択成功率が向上し、通信の安定化が図れる。
また、この発明の無線通信機は、第１セルと第２セルに要求メッセージを送信する送信部、前記第１セルから送信される第１共通制御チャネル又は報知情報を含む物理チャネルを復調可能に時分割で設定される第１コンバイナ部、前記第２セルから送信される第２共通制御チャネルを復調可能に設定される第２コンバイナ部、前記第１コンバイナ部及び前記第２コンバイナ部を設定し、前記第１共通制御チャネル及び前記第２共通制御チャネルを同時に復調可能な状態に制御するベースバンド制御部、前記第１共通制御チャネル又は前記第２共通制御チャネルに含まれる前記要求メッセージに対する応答メッセージを受信する無線通信制御部を備えるものである。また、前記ベースバンド制御部は、前記無線通信制御部が前記第１セルから応答メッセージを受信する前にセル切り替え指示をした場合、前記第１共通制御チャネル及び前記第２共通制御チャネルを同時に復調可能な状態に制御するものである。さらにまた、前記ベースバンド制御部は、前記報知情報を含む物理チャネルと前記第１共通制御チャネルを同時に受信する場合、前記第１コンバイナ部を前記報知情報を含む物理チャネルを復調可能に設定するものである。
以上の構成により、コンバイナ部を増設せずに、セル切り替えが頻繁に発生するハンドオーバーエリアにおいても、共通制御チャネルに含まれる応答メッセージを確実に受信することができ、回路の大型化を防ぐとともに通信の安定性向上を図ることができる。
また、前記要求メッセージは個別チャネルの再接続を要求するものであり、前記応答メッセージは再接続する個別チャネルを指示するものである。これにより、個別チャネル再接続の成功率が向上し、通信の安定化が図れる。
また、前記要求メッセージは個別チャネルから共通制御チャネルへの切り替えを要求するものであり、前記応答メッセージは個別チャネルから共通制御チャネルへの切り替えを許可するものである。これにより、個別チャネルから共通制御チャネルへの切り替え成功率が向上し、通信の安定化が図れる。
また、前記要求メッセージは共通制御チャネルで通信中にセル切り替えを行う場合にセル再選択を要求するものであり、前記応答メッセージはセル再選択を許可するものである。これにより、セル再選択成功率が向上し、通信の安定化が図れる。
さらに、この発明の共通制御チャネルの受信方法は、第１セルから送信される第１共通制御チャネルを復調可能に第１コンバイナ部を設定する第１ステップ、前記第１セルに要求メッセージを送信する第２ステップ、通信するセルを前記第１セルから第２セルへ切り替える第３ステップ、前記第２セルから送信される第２共通制御チャネルを復調可能に第２コンバイナ部を設定する第４ステップ、前記第２セルに要求メッセージを送信する第５ステップ、前記第２ステップ後、前記要求メッセージに対する応答メッセージを前記第１セルから受信する前に前記第３ステップを実行した場合に、前記第１コンバイナ部と前記第２コンバイナ部を共に動作させ第１又は第２共通制御チャネルに含まれる応答メッセージを受信する第６ステップを含むものである。
これにより、セル切り替えが頻繁に発生するハンドオーバーエリアにおいても、共通制御チャネルに含まれる応答メッセージを確実に受信することができ、通信の安定性向上を図ることができる。
【図面の簡単な説明】  図１は、この発明の一実施例である無線通信機の機能ブロック図である。
図２は、この発明の実施の形態１に係る受信部の詳細構成図である。
図３は、この発明の無線通信機を含む通信ネットワーク構成図である。
図４は、この発明の実施の形態１に係る無線通信制御部の制御を示すフローチャートである。
図５は、この発明の実施の形態１に係る無線通信制御部の制御を示すフローチャートである。
図６は、この発明の実施の形態１に係るベースバンド制御部の制御を示すフローチャートである。
図７は、この発明の実施の形態１に係るベースバンド制御部の制御を示すフローチャートである。
図８は、この発明の実施の形態２に係る受信部の詳細構成図である。
図９は、従来の無線通信機の受信部の詳細構成図である。
図１０は、従来の無線通信機を含む通信ネットワーク図である。
【発明を実施するための最良の形態】  以下、この発明をより詳細に説明するために、この発明を実施するための最良の形態について、添付の図面に従ってこれを説明する。
実施の形態１．
以下、この発明の実施の形態１を説明する。図１は、この発明の一実施例である無線通信機（移動局）の機能ブロック図である。図において、１は基地局との間で高周波信号を送受信するアンテナ、２はダウンコンバータ２１とアップコンバータ２２を含む無線部である。ダウンコンバータ２１は、基地局から受信した高周波信号をダウンコンバートしデジタル信号を出力する。アップコンバータ２２は、変調されたデジタル信号を高周波帯域までアップコンバートする。
３はベースバンド復調を行うベースバンド復調部３１とベースバント変調を行うベースバンド変調部３２、及びこれらを無線通信制御部５からの制御に基づき制御するベースバンド制御部３３を含むベースバンド変復調部である。ベースバンド制御部３３は、後述する最新使用コンバイナ部を記憶するメモリを有する。ベースバンド復調部３１は、この発明を実現するための特徴を有する構成をもつ。詳細は図２を用いて後述する。
４は通信路符号化部であり、復号化部４１、符号化部４２を含み構成される。無線通信制御部５は、無線通信のためのプロトコル制御、無線部２とベースバンド変復調部３と通信路復号化部４の制御、及び端末インタフェース部６との通信を行う。端末インタフェース部６は、カメラ、ビデオ、ＬＣＤ、操作部などのユーザインタフェースモジュール７のインタフェース機能を有するものであり、データフォーマット変換部６１、端末インタフェース制御部６２、音声符号化／復号化部６３、及び各モジュールインタフェース部６４を含む。
次に図２を用いて、この発明を実現するための主要な機能を備えるベースバンド復調部３１の詳細構成を説明する。図１と同じ符号のものは同じ構成を示す。図において、ベースバンド復調部３１は、無線部２からのデジタル信号を基地局からの受信パス毎に逆拡散を行うフィンガー部３４、３５、及び受信パス毎に逆拡散された信号をレイク（ＲＡＫＥ）合成するコンバイナ部３６、３７、３８を含み構成される。フィンガー部３４、３５は、それぞれ受信パス毎に設けられた複数のフィンガー３４１、３４２、・・・、３４ｍ（ｍは整数）と、３５１、３５２、・・・、３５ｎ（ｎは整数）から構成される。フィンガー部３４とコンバイナ部３６は、報知情報を含む物理チャネル（ＰＣＣＰＣＨ）の復調に用いる。フィンガー部３５のうち、フィンガー３５１、３５２はコンバイナ部３７と接続され、フィンガー３５３、３５４、・・・、３５ｎはコンバイナ部３８と接続されている。しかし、このフィンガーの割り当ては固定的ではなく、各セルの受信パスの数、レベルに従い、各コンバイナ部３７、３８に接続するフィンガーを動的に変更する。この制御はベースバンド制御部が行う。各コンバイナ部３７、３８は、ともに共通制御チャネル（ＳＣＣＰＣＨ）又は個別チャネル（ＤＰＣＨ）の復調に用いられる。また、コンバイナ部３６、３７、３８には、それぞれ復調するチャネルのフレーム構成に従ったパラメータがベースバンド制御部３３により設定される。通信路符号化部４は、コンバイナ部３６、３７、３８で復調された信号の物理フォーマットを変換する物理フォーマット変換部４１ａ、４１ｂを含む。
報知情報を含む物理チャネル（ＰＣＣＰＣＨ）は、システム情報、セル情報等を得るために、通常、常時受信可能な状態になるようコンバイナ部３６が専用で動作している。共通制御チャネル（ＳＣＣＰＣＨ）は、基地局からユーザ共通に送信される物理チャネルであり、制御情報、ショートパケットの伝送に用いられる。個別チャネル（ＤＰＣＨ）は、ユーザ毎に割り当てられる物理チャネルであり、音声、パケット等のデータ伝送に用いられる。共通制御チャネルと個別チャネルを同時に受信することはない。個別チャネル（ＤＰＣＨ）は、移動局が通信可能な複数の基地局から同じ信号が送信される。一方、共通制御チャネル（ＳＣＣＰＣＨ）は、セル毎に異なり、コンバイナ部に設定するパラメータもセル毎に異なる。本構成によれば、各セル固有のデータである２つの共通制御チャネルを、コンバイナ部３７、３８で同時に復調することができるので、移動局は２つのセルからの共通制御チャネルを同時に受信待ち受けをすることができる。
以下、上記の構成を備えた移動局の動作の一例を説明する。図３は、通信中の移動局が再接続要求を行う場合の信号の流れを含む、通信ネットワーク構成図である。３０１は移動局（ＵＥ）、３０２及び３０３はこの移動局３０１と通信を行う基地局（ＮｏｄｅＢ）、３０４は基地局３０２及び３０３を制御する無線制御装置（ＲＮＣ）、３０５は通信システム全体の呼制御、サービス制御等を統率するコアネットワーク（ＣＮ）である。基地局３０２はセル１Ａを、基地局３０３はセル２Ｂを管理している。また、３０６、３０７、３０８及び３０９は、移動局３０１と基地局３０２及び３０３との間で通信される共通制御チャネルの信号の流れを示しており、３０６は移動局３０１から基地局３０２へ、３０７は移動局３０１から基地局３０３へ、３０８は基地局３０２から移動局３０１へ、３０９は基地局３０３から移動局３０１への信号である。
図４〜図７は、図３の通信ネットワークにおいて、移動局３０１が再接続要求を行う場合に行われる制御手順を示すフローチャートである。図４、図５は、主に移動局３０１の無線通信制御部５の制御手順を示し、図６、図７は、前記無線通信制御部５の制御に応じたベースバンド制御部３３の制御手順を示す。
図４において、移動局３０１は基地局３０２のセル１Ａと個別チャネルで通信状態にある（ステップＳ４０１）。ステップＳ４０２において、通信品質の劣化が発生すると、移動局３０１の無線通信制御部５はベースバンド制御部３３に対し、個別チャネルの終了、すなわち個別チャネル用に動作中のコンバイナ部３７及び３８の停止と（ステップＳ４０３）、セル１Ａの報知情報の取得を指示する（ステップＳ４０４）。このとき、通信は瞬断状態となる。さらに、無線通信制御部５はベースバンド制御部３３に対し、共通制御チャネルの起動、すなわちセルＡからの共通制御チャネル用のコンバイナ部を起動するよう指示する（ステップＳ４０５）。
図６のステップＳ６０１において、上記ステップＳ４０５の共通制御チャネルの起動要求が発生すると、ベースバンド制御部３３は、ステップＳ６０２でコンバイナ部３７、３８のうち、共通制御チャネル用として使用した最新のコンバイナ部を判断する。ここでは、最新使用のコンバイナ部がまだ記憶されていないので、ステップＳ６０３へ進みコンバイナ部３７をセル１Ａの共通制御チャネル用として起動し、コンバイナ部３７を最新使用コンバイナ部として記憶する（ステップＳ６０４）。そして、セル１Ａの共通制御チャネル通信中（受信可能状態）となる（ステップＳ６１１）。
図４へ戻り、上記制御によって移動局３０１はセル１Ａからの共通制御チャネルを受信可能な状態にある（ステップＳ４０６）。ステップＳ４０７において、移動局３０１は、セル１Ａに対し個別チャネルの再接続を要求する要求メッセージを信号３０６で送信する。このとき、再接続要求再送タイマと再接続指示待ちタイマを起動させる。また、ステップＳ４０８で、周辺セルからの信号レベルの測定を行う。この結果、現状セルであるセル１Ａからの信号より他セル（セル２Ｂ）からの信号のレベルが高くなるレベル変動が検知されると、ステップＳ５０１（図５）のセル切り替え処理へ進む。ステップＳ４１０において、前記再送タイマが満了するとステップＳ４０６へ戻り、ステップＳ４０７で再び再接続要求メッセージ送信する。ステップＳ４１１において、再接続を指示する応答メッセージ（信号３０８）を受信する前に前記待ちタイマが満了すると再接続失敗となり異常処理がなされる（ステップＳ４１３）。ステップＳ４０９でレベル変動が検知されず、ステップＳ４１０、Ｓ４１１で各タイマが満了しないうちに、ステップＳ４１２でセル１Ａから再接続指示を行う応答メツセージ（信号３０８）を受信した場合、ステップＳ５１２（図５）へ進み、後述する処理手順で個別チャネルへの接続処理を行い、通信が再開される。ステップＳ４１２において、再接続指示を受信しない場合は、ステップＳ４０８へ戻る。
図５において、前記ステップＳ４０９でレベル変動が検知され、セル切り替え処理を行う場合の制御手順を説明する。ステップＳ５０１でセル切り替え処理が始まると、無線通信制御部５はベースバンド制御部３３に対し、共通制御チャネルの終了、すなわちセル１Ａの共通制御チャネル用に動作中のコンバイナ部の停止と（ステップＳ５０２）、セル２Ｂの報知情報の取得を指示する（ステップＳ５０３）。さらに、セルＢからの共通制御チャネル用のコンバイナ部を起動するよう指示する（ステップＳ５０４）。
図７のステップＳ７０１において、上記ステップＳ５０２の共通制御チャネル（セル１Ａ）の終了要求が発生すると、ベースバンド制御部３３は、ステップＳ７０２でセル１Ａ用に動作中のコンバイナ部３７を終了させず、保護するタイマをセットする。このタイマにセットする時間は予想される応答メッセージの再大遅延時間より長くなるように設定する。そして、コンバイナ部３７は現在の状態、すなわちセル１Ａからの共通制御チャネル受信可能状態をタイマ満了まで維持する（ステップＳ７０３）。
また、図６のステップＳ６０１において、上記ステップＳ５０４の共通制御チャネル（セル２Ｂ）の起動要求が発生すると、ベースバンド制御部３３は、ステップＳ６０２で最新使用コンバイナ部を判断する。ここでは、前述のとおりコンバイナ部３７が最新使用コンバイナ部として記憶されているので、ステップＳ６０５へ進みコンバイナ部３８が動作中であれば停止させ、改めてコンバイナ部３８をセル２Ｂの共通制御チャネル用として起動する（ステップＳ６０６）。そして、コンバイナ部３８を最新使用コンバイナ部として記憶し（ステップＳ６０７）、セル１Ａ、セル２Ｂ両方の共通制御チャネル通信中となる（ステップＳ６１１）。
図５へ戻り、上記制御によって移動局３０１はセル１Ａからの共通制御チャネルと、セル２Ｂからの共通制御チャネルの両方を受信可能な状態にある（ステップＳ５０５）。ステップＳ５０６において、移動局３０１は、セル切り替え先のセル２Ｂに対し個別チャネルの再接続を要求する要求メッセージを信号３０７で送信する。このとき、再接続要求再送タイマと再接続指示待ちタイマを起動させる。また、ステップＳ５０７で、周辺セルからの信号レベルの測定を行う。この結果、現状セルであるセル２Ｂからの信号より他セルからの信号のレベルが高くなるレベル変動が検知されると、さらにセル切り替え処理（ステップＳ５０１）へ進み同様の制御を繰り返す。ステップＳ５０９において、前記再送タイマが満了するとステップＳ５０５へ戻り、ステップＳ５０６で再び再接続要求メッセージを送信する。ステップＳ５１０において、再接続を指示する応答メッセージを受信する前に前記待ちタイマが満了すると再接続失敗となり異常処理がなされる（ステップＳ５１５）。ステップＳ５０８でレベル変動が検知されず、ステップＳ５０９、Ｓ５１０で各タイマが満了しないうちに、ステップＳ５１１で遅延したセル１Ａからの応答メッセージ（再接続指示、信号３０８）又はセル２Ｂからの応答メッセージ（再接続指示、信号３０９）を受信した場合、無線通信制御部５は、ベースバンド制御部３３に対し、共通制御チャネルの終了と（ステップＳ５１２）、個別チャネルの起動を指示する（ステップＳ５１３）。これにより個別チャネルへの再接続処理が完了し、通信が再開される（ステップＳ５１４）。ステップＳ５１１において、再接続指示を受信しない場合は、ステップＳ５０７へ戻る。
図６のステップＳ６０１において、上記ステップＳ５０８でレベル変動が検知され、ステップＳ５０１に戻ってさらにセル切り替え処理を行う場合にステップＳ５０４で共通制御チャネル起動要求が発生すると、ベースバンド制御部３３は最新使用コンバイナ部を判断する（ステップＳ６０２）。ここでは、コンバイナ部３８が最新使用コンバイナ部として記憶されているので、ステップＳ６０８へ進みコンバイナ部３７が動作中であれば停止させ、改めてコンバイナ部３７を切り替え先のセルの共通制御チャネル用として起動する（ステップＳ６０９）。そして、コンバイナ部３７を最新使用コンバイナ部として記憶し（ステップＳ６１０）、セル２Ｂ、切り替え先セルの両方の共通制御チャネル通信中となる（ステップＳ６１１）。
また、図７のステップＳ７０１において、上記ステップＳ５１２の共通制御チャネル（セル１Ａ、セル２Ｂとも）の終了要求が発生すると、前述のステップＳ５０２の場合と同様に、ベースバンド制御部３３は、ステップＳ７０２で動作中のコンバイナ部３７及び３８を終了させず、保護するタイマをセットする。そして、コンバイナ部３７、３８の現在の状態を維持する（ステップＳ７０３）。しかし、その後上記ステップＳ５１３の個別チャネル起動要求が発生すると（ステップＳ７０４）、動作中のコンバイナ部３７及び３８を停止させ（ステップＳ７０５）、改めてコンバイナ部３７又は３８（又は両方）を個別チャネル用に起動させる（ステップＳ７０６）。そして、個別チャネル通信状態とする（ステップＳ７０７）。
さらに、図７において、共通制御チャネル保護タイマが満了した場合は（ステップＳ７０８）、タイマをセットしたコンバイナ部を停止させ、共通制御チャネルを受信しないチャネルクローズ状態とする（ステップＳ７１０）。保護タイマにセットする時間は、前述のとおり予想される応答メッセージの再大遅延時間より長くなるように設定するので、本制御手順によりチャネルクローズ状態となるのは、共通制御チャネルでの応答メッセージ待ち状態になく、通信を終了する場合である。
以上の制御手順によれば、移動局は、再接続要求を送信した後、応答メッセージを受信する前にセル切り替え処理が発生した場合に、セル切り替え前とセル切り替え後の２つのセルからの共通制御チャネルを受信可能となる。したがった、ネットワーク側の原因で応答メッセージが遅延しても、先に応答があったセルからの応答メッセージを受信することで通信断となる不具合を回避でき、セル切り替えが頻繁に起こり易いハンドオーバエリアで、安定した通信継続が可能となる。
また、上記ステップＳ５０２、Ｓ５０４においては、無線通信制御部５がコンバイナ部３７をセル１Ａ共通制御チャネル受信可能状態に維持したまま、コンバイナ部３８をセル２Ｂ共通制御チャネル用に起動させるよう制御してもよい。しかし、本実施の形態１によれば、上位プロトコルである無線通信制御部５の制御を従来から変更せずに、物理レイヤの変更のみで対応できるため、移動局の設計が容易になる。
尚、上記実施の形態１では、再接続要求時の制御手順を示したが、セル切り替えが起こり易い状態で共通制御チャネルによる応答メッセージを必要とする他制御の場合にも同様の効果が得られる。例えば、個別チャネルでのパケット通信中に伝送量が少なくなり、共通制御チャネルでの通信に切り替える場合、移動局は通信中のセルへセルアップデート信号を送信し、その応答メッセージを共通制御チャネルで受信する必要がある。この場合も、実施の形態１の移動局が同様の制御を行うことで、セル切り替えが起こり易いハンドオーバエリアにおいても遅延した応答メッセージを受信可能となり、個別チャネルから共通制御チャネルへの切り替え成功率が向上する。
また例えば、共通制御チャネルでショートパケットを通信中にセル切り替えが発生した場合も、切り替え先のセルに対しセルアップデート信号を送信し、その応答メッセージを共通制御チャネルで受信する必要がある。このとき、この応答メッセージを受信する前にさらにセル切り替えが発生すると、次のセルへセルアップデート信号を送信し、その応答メッセージを共通制御チャネルで待つという手順を繰り返すことになる。この場合も、実施の形態１のようにセル切り替え前とセル切り替え後の両方のセルからの応答メッセージを受信可能とすることで、通信断を起こさずセル再選択の成功率が向上する。
実施の形態２．
次に、この発明の実施の形態２を説明する。本実施の形態２に係る無線通信機（移動局）の機能ブロック図は図１に示すものと同じであり、図８を用いて、特徴となる構成を有するベースバンド復調部３１の詳細構成を説明する。図において、図１と同じ符号のものは同じ構成を示す。ベースバンド復調部３１は、無線部２からのデジタル信号を基地局からの受信パス毎に逆拡散を行うフィンガー部３４、３５、及び受信パス毎に逆拡散された信号をレイク（ＲＡＫＥ）合成するコンバイナ部３６、３９を含み構成される。フィンガー部３４、３５は、それぞれ受信パス毎に設けられた複数のフィンガー３４１、３４２、・・・、３４ｍ（ｍは整数）と、３５１、３５２、・・・、３５ｎ（ｎは整数）から構成される。フィンガー部３４とコンバイナ部３６は、報知情報を含む物理チャネル（ＰＣＣＰＣＨ）又は、共通制御チャネル（ＳＣＣＰＣＨ）の復調に用いられる。フィンガー部３５とコンバイナ部３９は、共通制御チャネル（ＳＣＣＰＣＨ）又は個別チャネル（ＤＰＣＨ）の復調に用いられる。また、コンバイナ部３６、３９には、それぞれ復調するチャネルのフレーム構成に従ったパラメータがベースバンド制御部３３により設定される。通信路符号化部４は、コンバイナ部３６で復調された報知情報を含む信号の物理フォーマットを変換する物理フォーマット変換部４１ａと、コンバイナ部３６で復調された共通制御チャネル、コンバイナ部３９で復調された共通制御チャネル又は個別チャネルの物理フォーマットを変換する物理フォーマット変換部４１ｂを含む。
報知情報を含む物理チャネル（ＰＣＣＰＣＨ）は、システム情報、セル情報等を固定レートで送信している。報知情報は基本的に常時受信可能状態である必要があるが、必ずしもすべての時間に情報が送信されているわけではない。そこで、実施の形態１と同様に、共通制御チャネルでの応答メッセージ待ちの状態でセル切り替えが発生した場合に、報知情報用に動作中のコンバイナ部３６を終了させ、セル切り替え前の共通制御チャネル用として再起動する。このとき、コンバイナ部３９は、セル切り替え後の共通制御チャネル用として起動する。コンバイナ部３６をセル切り替え後の共通制御チャネル用として再起動し、コンバイナ部３９をセル切り替え前の共通制御チャネル用として起動してもよい。そして、コンバイナ部３６、３９のいずれかにおいて応答メッセージを受信した後は、すみやかに両コンバイナ部を終了させ、コンバイナ部３６を報知情報用に再起動する。コンバイナ部３９は、応答メッセージの内容に従い再起動する。
ただし、報知情報を含む物理チャネルの受信と共通制御チャネルの受信が重なる場合（例えば３秒周期で２０ｍ秒重なる等）があるシステムでは、重なる部分で報知情報を優先して受信するようコンバイナ部３６を制御する。
以上のように制御することにより、各セル固有のデータである２つの共通制御チャネルを、コンバイナ部３６、３９で同時に復調することができるので、移動局はセル切り替え前とセル切り替え後の２つのセルからの共通制御チャネルを受信可能となる。したがって、ネットワーク側の原因で応答メッセージが遅延しても、先に応答があったセルからの応答メッセージを受信することで通信断となる不具合を回避でき、セル切り替えが頻繁に起こり易いハンドオーバエリアで、安定した通信継続が可能となる。
また、１つのコンバイナ部を報知情報用と共通制御チャネル用に時分割で切り替え使用することにより、コンバイナ部の数を増やさず上記効果を得ることができる。報知情報と共通制御チャネルの受信が重なる部分で報知情報を優先して受信するよう制御する場合でも、重なる部分に応答メッセージが受信される可能性は低いので、上記の効果が期待できる。
【図１】
2004004401.tif 000003
【図２】
2004004401.tif 000004
【図３】
2004004401.tif 000005
【図４】
2004004401.tif 000006
【図５】
2004004401.tif 000007
【図６】
2004004401.tif 000008
【図７】
2004004401.tif 000009
【図８】
2004004401.tif 000010
【図９】
2004004401.tif 000011
【図１０】
2004004401.tif 000012
【国際調査報告】
2004004401.tif 000013
2004004401.tif 000014